(57)【要約】【課題】肩、腰、肘など直接視認しにくい、あるいは、両手を使わないと貼れない患部に１人で容易に、しかも、的確に貼付けることのできる携帯に便利な貼付け剤用貼付け具を提供する。【解決手段】概矩形の基板１の表面１ａに使用する貼付け剤８を一時的に剥離可能に保持する仮止め手段２と、貼付け剤８の薬剤面１０が皮膚に貼付かないよう薬剤面１０を一時的に剥離可能に保護する保護材４を備え、基板１の裏面１ｂには、片手で貼付け操作ができるようハンドリング部３を備えたことを特徴とする。【選択図】　　図１
2004089657.tif 000002
【特許請求の範囲】
【請求項１】
基板（１）の一面（１ａ）に、使用する貼付け剤の基材面を一時的に剥離可能に保持する仮止め手段（２）を備え、当該基板（１）に貼付け剤の薬剤面が皮膚に貼付かないよう薬剤面を一時的に剥離可能に保護する保護材（４）を備えたことを特徴とする貼付け剤用貼付け具。
【請求項２】
保護材（４）が引張り部（４’）を備えていることを特徴とする請求項１に記載の貼付け剤用貼付け具。
【請求項３】
基板（１）の端部（ｇ）付近に、保護材（４）を基板（１）に保持する保持部（６）を備えていることを特徴とする請求項１あるいは２に記載の貼付け剤用貼付け具。
【請求項４】
基板（１）にハンドリング部（３）を備えていることを特徴とする請求項１あるいは２あるいは３記載の貼付け剤用貼付け具。
【請求項５】
基板（１）が柔軟性を有していることを特徴とする請求項１あるいは２あるいは３あるいは４記載の貼付け剤用貼付け具。
【請求項６】
保護材（４）が柔軟性を有していることを特徴とする請求項１あるいは２あるいは３あるいは４あるいは５記載の貼付け剤用貼付け具。
【請求項７】
基板（１）に脱着可能な取っ手（７）を備えたことを特徴とする請求項１あるいは２あるいは３あるいは４あるいは５あるいは６記載の貼付け剤用貼付け具。
【発明の詳細な説明】
【０００１】
【発明の属する技術分野】
本発明は、貼付け剤を肩、腰、肘等の貼付けしにくい部位に貼付ける際に使用する貼付け剤用貼付け具に関するものである。
【０００２】
【従来の技術】
肩こり、腰痛、筋肉痛、関節痛など貼付け剤を用いて治療する場合、貼付け剤は身体のどんな部位にでも貼付けることができるよう、又、貼付けた後身体を動かしても剥がれないよう柔軟性や伸縮性を持たせてある。そのため、貼付け剤を患部の皮膚に貼付けるには、貼付け剤がたるんで薬剤面同士が貼付いたり、貼付け剤にシワが寄ったり皮膚との間に空気溜りができないようにするため、貼付け剤の両端部を両手で摘まんで押し広げながら貼付けるのが一般的な方法である。そのため、肩、腰、肘など両手が使いにくい患部や手の届きにくい患部、目で直接見にくい患部等に貼付け剤を１人で貼付けることは困難であった。
【０００３】
そこで、肩、腰、背中など両手が使えず、手の届きにくい患部等に他人の手を借りず１人で貼付け剤を貼る治具が種々提案されている。
例えば、「実願平９−９５４５」は金属や木など硬い平板状の基板に設けた仮止め手段に薬剤面を露出した状態で貼付け剤をセットし、裏面に設けた握り部を把持するか、もしくは、脱着自在な壁面固定具を用いて貼付け具を壁面に固定し、腰や背中などに貼付け剤を貼付ける方法である。
【０００４】
「特開２００１−０６１８９４」は形状弾性を有する基板上の外周に同じく形状弾性を有するスペーサーが矩形リング状に囲うように設けられており、スペーサー内の基板には仮止め手段を備えている。又、基板の背面には指を挿入して貼付け具を患部まで運ぶハンドル部を備えている。当該貼付け具の特徴は、スペーサーの皮膚に接する感触によって貼付け者自身が患部の位置を決めることができ、薬剤面を露出し仮止め手段にセットした貼付け剤はスペーサーの持つ高さによって皮膚に直接触れず、ハンドル部を皮膚に押付けることによって基板とスペーサーが変形し貼付け剤を皮膚に貼付ける方法である。
【０００５】
「特開２００２−３５１３９」は不織布や多孔性からなるシートの一面に仮止め手段を設け、背面に指や手の甲が入る係止部を備えた貼付け具で、薬剤面を露出し付着手段にセットした貼付け剤を基板の背面に設けた係止部に手を差込んで患部に運び貼付ける方法である。
【０００６】
【発明が解決しようとする課題】
以上いろいろな提案がなされているが、「実願平９−９５４５」は基板の柔軟性が乏しいため、肩などの曲面に使用することは困難であり、しかも、貼付け具にセットした貼付け剤の薬剤面が全面露出しているので、貼付け具を皮膚に接触させると貼付け剤は直ちに貼付いてしまい、本人の納得のいく貼付け位置に貼付け剤を貼付けることが難しいという欠点がある。
【０００７】
「特開２００１−０６１８９４」も基板を囲うスペーサーが肩などの曲面に合わせて変形することが困難なため、前述の「実願平９−９５４５」と同様、身体の曲面部位に使用することは難しい。又、本提案に於けるスペーサーは枠体であるため、患部に直接触れて位置を決めることができず、予め手などで患部を押さえ、その位置（範囲）を記憶した状態で患部と思われる周囲をスペーサーによって判断するため、必ずしも正確で満足のいく貼付け位置になるとは限らない。更に、背中や肩甲骨付近の患部に当該貼付け具を自身の手で押付けて貼付け剤を貼付けるには、背面であることを考えると、かなりの腕力が必要となり、１人で貼付けることの困難さが伺える。
上記２件の提案はこの他、構成が複雑で嵩張るため携帯しづらくコスト高となる欠点もある。
【０００８】
「特開２００２−３５１３９」は前記「実願平９−９５４５」と同様貼付け具にセットした貼付け剤の薬剤面が全面露出しているので、患部に対し自身の手で正確に貼付け剤を貼付けることが困難であるという欠点がある。
以上のことから、提案されている貼付け具にはそれぞれ問題点があり、１人で貼付け剤を患部に的確に貼付けるには難点があった。
本発明は上記問題点を解決し、貼付け剤を肩、腰、肘など直接視認しにくい、あるいは、両手を使わないと貼れない患部に１人で容易に、しかも、的確に貼付けることのできる携帯に便利な貼付け剤用貼付け具の提供を目的としたものである。
【０００９】
【課題を解決するための手段】
本発明は上記目的を達成するため、柔軟性を有する基板の一面（以下表面と称す）に、使用する貼付け剤の基材面を一時的に剥離可能に保持する仮止め手段と、当該貼付け剤の薬剤面が直接皮膚に貼付かないよう薬剤面を一時的に剥離可能に保護する柔軟性を有する保護材を備え、基板の他面（以下裏面と称す）には手で基板を保持し操作するハンドリング部を備えたものである。
【００１０】
【発明の実施の形態】
以下、図面に基づいて本発明の実施の形態を詳しく説明する。
本発明は主に基板１、仮止め手段２、ハンドリング部３、保護材４によって構成される。以下、各構成要素の実施例を詳細に説明する。
【００１１】
基板１は表面１ａに仮止め手段２、保護材４を、裏面１ｂにはハンドリング部３を設けたものである。
【００１２】
基板１の材質は、貼付け剤８が折れ曲がったり、たるんだりして薬剤面１０同士が貼付かない程度の支持機能を有し、繰返し使用しても破損しない程度の強度を有し、且つ、肩、肘等の曲面や身体の凹凸面に合わせて変形し復元する柔軟性と形状弾性（力を加えると変形し、力を抜くと元の形状に戻る性質）を有するものが好ましく、素材としては、例えば、プラスチック、ゴム、紙シートにプラスチックをラミネート加工したもの、金属箔にプラスチックをラミネート加工したもの等を用いることが好ましい。
【００１３】
基板１の大きさは、一般的に使用されている大判サイズの貼付け剤（以下大サイズの貼付け剤８ａと称す）約１０ｃｍ×１４ｃｍがセットでき、後述の保護材４を基板１の一方の短辺端（以下後端ｇと称す）側に取付けることができる程度であれば特に限定しない。しかし、できるなら本発明を貼付け剤８と共に携帯できるよう、基板１を貼付け剤８の薬効を維持するために収納する包装袋、もしくは、当該包装袋を更に収納する化粧箱等の中に収納できる大きさにすることが望ましい。
【００１４】
尚、基板１が包装袋や化粧箱以上の大きさになる場合は、図５に示すよう基板１に折り目１ｃを設け、折りたたんで収納できるようにしても良い。
【００１５】
基板１の形状は、一般的に使用されている貼付け剤８が矩形であること、貼付け剤８を収納する包装袋や化粧箱が矩形であることなどから概矩形であることが好ましい。
【００１６】
次に、仮止め手段２は貼付け剤８を基板１に一時的に剥離可能に保持しておくものである。
【００１７】
貼付け剤８は図１５に示すように、基材９、薬剤面１０、剥離フィルム１１から構成されており、仮止め手段２は貼付け剤８の基材９を保持するものである。しかし、基材９には不織布を用いるものと織布を用いるものがある。従って、基材９を確実に保持し、何回も使用することのできる仮止め手段２をそれぞれの基材９に合わせて選択することが好ましい。
【００１８】
例えば、不織布を用いた基材９にはフック構造の面ファスナー等を仮止め手段２として用いると良く、織布を用いた基材９には、プラスチック、紙、ゴムなどの柔軟な薄板上に粘着剤、例えば、アクリル酸エステル系粘着剤、シリコンポリマー系粘着剤等を塗布したものを仮止め手段２として用いると良い。
【００１９】
仮止め手段２は、大サイズの貼付け剤８ａと同程度の大きさのものを基板１の表面１ａに設けても良いが、例えば、図６、７に示すように、貼付け剤８にシワが寄らず、しかも、基板１ごと下向きにしても剥がれずに保持できる程度の小片にした仮止め手段２を基板１に分散して設けても良い。
小片の大きさは１〜２０ｃｍ２程度が好ましく、形状、及び、分散の仕方は特に限定しない。
【００２０】
仮止め手段２を小片にして基板１に分散して設けると、その貼付き力が貼付け剤８の皮膚への貼付き力より面積が小さい分弱くなるので、本発明を貼付け剤８から容易に引き剥がすことができる。
【００２１】
仮止め手段２を基板１に設ける際、図８に示すよう、大サイズの貼付け剤８ａの任意の短辺を基板１の他方の短辺端（以下先端ｆと称す）側に概ね合致させて配置した時に、基板１の先端ｆ、及び、後端ｇの各短辺側に位置する仮止め手段２が大サイズの貼付け剤８ａの両短辺外周部より少し内側になるように設けると更に良い。具体的には約１〜２ｃｍ程度それぞれ内側が好ましい。
【００２２】
こうすることで、後の使用方法で詳しく述べるが、皮膚に貼付けた貼付け剤８から本発明を取外す際、貼付け剤８ごと皮膚から引き剥がしてしまう不具合を防ぎ、本発明のみを確実に取外すことができる。
【００２３】
次に、ハンドリング部３は基板１の裏面１ｂに設けることで、貼付け剤８をセットした本発明を患部に運んだり、皮膚に貼付けた貼付け剤８から本発明を引き剥がす操作を片手で行えるようにするものである。
【００２４】
そこで、基板１の先端ｆ付近と後端ｇ付近の２カ所に、リングを形成するハンドリング部３を設けた実施例を図３、１１に基づき説明する。
【００２５】
先端ｆ側のハンドリング部３は図１１に示すよう、実施例の一つとして、手の指部分を差込んで操作するもので、人差指から小指を適度な余裕を持って差込める大きさのリングとなるよう、ハンドリング部３の両端を基板１の先端ｆ付近の両長辺端部分に固定すると良い。
【００２６】
これにより、本発明を貼付け部位に運ぶ過程で基板１の先端ｆ側が手から離れ垂れ下がるのを防止し、又、貼付け終了時に指を持ち上げる動きに追従して基板１が引き上げられるので、皮膚に貼付いた貼付け剤８から本発明を取外すことができる。
【００２７】
次に、後端ｇ側のハンドリング部３は手の甲部分を差込んで、先端ｆ側ハンドリング部３と同様の操作を行うものであるが、手の大きさによってリングの大きさにかなりの差が生じるので、リングの大きさを自由に調節することができるよう、リングを２つに切り離し、適度な重なり幅を持たせたハンドリング部３ａ、３ｂに分け、調節手段５を設けると良い。
【００２８】
調節手段５として、例えば、面ファスナー、剥離可能な粘着剤、肩掛けバッグやズボン等のバンドに用いる調節具、ボタン等を利用することができる。
【００２９】
後端ｇ側のハンドリング部３を基板１へ設けるには、例えば、図１１で示すように、基板１の先端ｆ付近に指先が来るように手を基板１の裏面１ｂに置いた時、親指と人差指間の叉付近の手の甲を覆うことのできる位置が良い。
こうすると先端ｆ側のハンドリング部３と同じ働きをすることができ、更に、親指と人差指の叉で後端ｇ側ハンドリング部３を挟み付けて運ぶことができるので、どのような向きに本発明を傾けても手から外れ落ちることはない。
【００３０】
尚、先端ｆ側のハンドリング部３は手の大きさに個人差があっても、差込んだ指を広げたり中指や薬指を外すことによってリングの大きさを調節することができるものであれば、調節手段５を備えなくても良い。
【００３１】
ハンドリング部３の素材は貼付け操作を繰返し実施することに耐える強度と貼付け剤８を収納する包装袋もしくは、化粧箱に嵩張らないよう変形させて収納できる柔軟性を有するものであれば特に限定されず、例えば、布、ゴム、布とゴムを組合わせたもの（織ゴム）、プラスチック、紙シートにプラスチックをラミネート加工したもの、金属箔にプラスチックをラミネート加工したもの等を使用することが好ましい。
【００３２】
リングを形成しない他の実施例としては、例えば、図１０に示すように、概矩形の薄板に折り目３’を設け、基板裏面１ｂに接着剤等を用いて複数取付け、使用する際は基板１から折り立て、これに指を挟んで操作できるようにしたハンドリング部３でも同様の操作を行うことができる。薄板の素材は例えば、プラスチック、紙、ゴム、紙にプラスチックをラミネート加工したもの、金属箔にプラスチックをラミネート加工したもの等を使用すると良い。
【００３３】
その他のハンドリング部３の例としては、基板１に直接コの字形の切込みを入れ、使用時に折り立て前記同様指を挟んで使用する方法でも良い。
何れにしても、本発明が片手で操作できれば、又、包装袋等に収納できればハンドリング部３の形状や取付け数等に拘るものではない。
【００３４】
次に、保護材４は薬剤面１０を被って一時的に剥離可能に貼付き、貼付け操作時の貼付け位置を探る過程で薬剤面１０が直接皮膚に触れて貼付くことを防止するものである。
【００３５】
従って、保護材４には、貼付け位置決定後の貼付け剤８の位置がズレないよう本発明を患部の皮膚に留めた状態で、薬剤面１０から当該保護材４を取外すことのできる機能を持たせなければならない。
【００３６】
そこで、本発明に於ける好適な保護材４の例を図１、２に基づき説明する。
保護材４は基板１の短辺とほぼ同じ幅を有し、基板１の長辺に対し少なくとも２倍以上の長さを有し、一方の短辺端部分を基板１の後端ｇの短辺端部分に固定し、他方の短辺部分は指で摘み易く、引張る力が薬剤面１０との貼付き境界部分に均等に掛かり易くなるよう短辺中央に向け細く絞り込んだ形状の引張り部４’を形成したものである。
【００３７】
更に、保護材４は引張り部４’が基板１の後端ｇの後方に位置するよう基板１の先端ｆ付近から基板１の後端ｇ方向に向け折返しておく。
折返す位置は基板１の先端ｆからおおよそ１〜２ｃｍ下がった位置が好ましい。こうすると、後述で詳しく説明するが保護材４の取外しを確実に行うことができる。
【００３８】
以上のことから、保護材４は薬剤面１０を被い保護するので、貼付け剤８を皮膚に接触させても貼付くことはなく、しかも、保護材４の引張り部４’を引張ることにより保護材４が薬剤面１０から引き剥がされるので、貼付け剤８を皮膚に貼付けることができる。
【００３９】
保護材４は、柔軟性と引張っても伸びたり切れたりしない程度の強度を有するシート状が好ましく、素材としては例えば、プラスチック、紙シートにプラスチックをラミネート加工したもの、金属箔にプラスチックをラミネート加工したもの等を使用することが望ましい。又、薬剤面１０との貼付き力を弱めるため保護材４の面に凸凹（エンボス加工）を施すと更に良い。
【００４０】
以上、保護材４の一例を示したが、薬剤面１０を被って一時的に剥離可能に貼付き、貼付け位置決定後に貼付け剤８の位置がズレないよう本発明を患部に軽く押当てた状態のままスムーズに保護材４を薬剤面１０から剥がすことができるのであれば、保護材４は引張り部４’を含めその大きさや形状に拘るものではない。
【００４１】
更に、図１２で示すように、本発明に保護材４の折返された部分を基板１の表面１ａに添うように相対させて保持し、引張り部４’を必ず基板１の後方に位置させるため、基板１の表面１ａの両長辺後端ｇ付近に、基板１の内側に向けて鉤型に突出させた保持部６を備えることが好ましい。
【００４２】
保持部６は基板１と一体成形したものでも良いが、図１３に示すように保護材４の折返された部分が容易に抜き差しできるよう、基板１の両長辺後端ｇ付近に、両端を基板１に固定しリングを形成するようにした、柔軟性を有する紐もしくは帯状の保持部６でも良い。
保持部６の素材には、例えば、より糸、布、ゴム、織ゴム、プラスチック、紙シートにプラスチックをラミネート加工したもの、金属箔にプラスチックをラミネート加工したもの等を用いると良い。
【００４３】
これにより、折返された部分の保護材４を、鉤型の保持部６に差し込むか、あるいは、基板１に渡設された紐もしくは帯状の保持部６に差し通すことによって、折返された部分の保護材４は基板１に添うように保持され、且つ、引張り部４’を本発明の後方に位置するよう確実に制御することができる。
【００４４】
又、図１４に示すように、基板１に取付けたり外したりできる脱着部７ａを一方の端に設け、他方の端に把持部７ｂを設けた取っ手７を基板１の任意の一辺に組付けて用いると、手の届かない貼付け部位に対して貼付け剤８を貼付けることができる。
【００４５】
取っ手７の素材は本発明を患部の皮膚に運ぶ際、たわんだり、折れたりしない強度を有する、例えば、プラスチック、木、紙、ゴム、金属等を用いることが好ましい。
【００４６】
次に、本発明の使用方法を説明する。
【００４７】
本発明に貼付け剤８をセットする際、大サイズの貼付け剤８ａを用いる場合は図４、８に示すように任意の一辺を基板１の先端ｆ短辺に概ね合わせることが肝要であり、小サイズの貼付け剤８ｂの場合には、図９に示すように任意の一辺を大サイズの貼付け剤８ａと同様基板１の先端ｆに合わせ、且つ、基板１の先端ｆから後端ｇに向う仮止め手段２に係るようにセットすることが肝要である。
【００４８】
先ず、基板１の仮止め手段２に貼付け剤８の基材９面をシワ無く押し広げた状態でセットする。これにより、貼付け時に薬剤面１０同士が貼付いたり、薬剤面１０と患部の皮膚との間にシワや空気溜りが生じること等により、貼付け剤８を破棄したり薬効を損なう不具合を確実に防ぐことができる。
【００４９】
次に、貼付け剤８の薬剤面１０に予め貼付けてある剥離フィルム１１を剥がし、代りに保護材４を薬剤面１０に被せ貼付ける。
そして、手の大きさに合わせハンドリング部３を調節して、本発明を患部の皮膚近くまで運び、基板１の上から貼付け剤８を指で皮膚に押付け痛みを感じる患部を探りだす。
【００５０】
このように本発明を用いると、使用者自身が肩や腰など視認しにくい患部に貼付け剤８を片手で運ぶことができ、しかも、薬剤面１０は保護材４によって被われているので、基板１の上から指で貼付け剤８を皮膚に押付けても貼付け剤８が貼付くことはなく、的確に患部を探り当て本人の納得のいく貼付け位置を決めることができるのである。
【００５１】
尚、図４で示すように、保護材４の折返し位置が基板１の先端ｆより内側にあり、基板１の先端ｆに合わせてセットした貼付け剤８の先端部分のおおよそ１〜２ｃｍは薬剤面１０が露出した状態となるが、指で当該部分の基板１を皮膚に押付けない限り薬剤面を露出させた部分１０’が皮膚に貼付くことはない。
【００５２】
貼付け位置を決めた後、図１６、１７で示すように、薬剤面を露出させた部分１０’を基板１の上から指で皮膚１２に押付けて貼付け、指で当該部分１０’を押さえたまま、もう一方の手で保護材４の引張り部４’を引張る。こうすると、保護材４の先端は薬剤面を露出させた部分１０’より内側にあり、指で押さえられていないので薬剤面１０に貼付いた保護材４を容易に引き剥がすことができる。
【００５３】
次に、貼付け剤８を患部の皮膚１２に密着させるため、基板１を手で押し撫でる。この時、貼付け剤８は予め仮止め手段２にシワなく押し広げて保持されており、しかも、基板１が患部の皮膚１２の凸凹や曲面に合わせて変形するので、如何なる機械装置よりも優れた指や掌の操作によって、基板１の上から貼付け剤８を隅々まで押し撫でることができ、シワや空気溜りを生ずることなく患部の皮膚１２にしっかりと貼付け剤８を密着させることができる。
【００５４】
そして、ハンドリング部３に差込んだ手を、例えば、図１８、１９に示すよう、指先から手首に向けて順次持上げると、基板１は手の動きに合わせ順序よく持上げられ、皮膚１２に貼付いた貼付け剤８を仮止め手段２から引き剥がし、本発明を取外すことができる。
【００５５】
つまり、本発明を指先、もしくは手首側から持上げると、仮止め手段２は貼付け剤８を皮膚１２から引き剥がそうとするが、仮止め手段２が貼付け剤８の先端、もしくは、後端より内側にあるので、貼付け剤８の先端、もしくは、後端付近の皮膚１２への貼付き力によって阻止され、貼付け剤８ごと皮膚１２から引き剥がしてしまう不具合を防ぐことができ、その結果、本発明を貼付け剤８から確実に取外すことができるのである。
【００５６】
尚、両手で貼付け操作のできない肘などの場合は、予め視覚で貼付け位置を確認できるので、保護材４を薬剤面１０に貼付けず、基板１の後端ｇより後方にフリーな状態にしておき、薬剤面１０全面を露出した状態で貼付け操作を行えば、片手で貼付け剤８をシワなく容易に貼付けることができる。
【００５７】
又、背中、特に肩甲骨付近に貼付け剤８を貼付ける場合は、ハンドリング部３に手を通さず、基板１の先端ｆ側を一方の手で摘まんで本発明を肩甲骨上部まで運び、他方の手で患部を探り貼付け位置を決め、摘まんでいた手を薬剤面を露出させた部分１０’に押付け、他方の手で保護材４の引張り部４’を下方に引張ることにより、手や腕の動きに無理を与えず貼付け剤８を患部に貼付けることができる。
【００５８】
このようにして、本発明は背中や腰などの比較的平坦な患部に対して、肩の尾根から肩甲骨付近にかけての大きな曲面を有する患部に対して、あるいは、肘等の凸凹した患部に対してシワや空気溜りを生ずることなく、しかも、本人の納得のいく貼付け位置に１人で貼付け剤８を貼付けることができる。
【００５９】
又、基板１後端ｇ付近に保持部６を備え、これに保護材４を保持させることにより、保護材４の引張り部４’を確実に基板１の後方に配置させることができるので、本発明を患部に運ぶ際、シート状の保護材４がまくれ上がり引張り部４’の位置がズレ、貼付け操作をやり直したり、引張り部４’を目で捜したりする煩わしさを防ぐことができる。
【００６０】
更に、脱着可能な取っ手７を本発明に組付け用いることにより、手の届かない背中の患部に対しても貼付け剤８を貼付けることが可能となる。
【００６１】
【発明の効果】
以上説明したように本発明は、保護材を設けることにより肩、背中、腰等視認しにくい部位でも、貼付け剤を使用する本人の手が直接患部全体を押し撫でる感触によって確実に納得のいく貼付け範囲を決めることができる。
しかも、貼付け剤を患部に運ぶ途中で薬剤面同士が貼付いたり、貼付け剤にシワや空気溜まりなど薬効を損なう不具合を生ずることなく１人で貼付け剤を貼付けることができる。
そして、肩、首、腕など曲面の患部、背中や腰など比較的平坦な患部、肘や肩甲骨周辺の凸凹した患部等あらゆる身体の部位に対しても、１人で容易に貼付け剤を貼付けることができる。
又、柔軟で薄型な部材で構成されているので貼付け剤を納める包装袋、もしくは、化粧箱に本発明を収納でき携帯にも便利である。
更に、本発明は構造が簡単なため安価に提供でき、販売促進用品としても利用できる。
【図面の簡単な説明】
【図１】本発明の斜視図である。
【図２】本発明の側面図である。
【図３】本発明の裏斜視図である。
【図４】本発明に貼付け剤をセットした側面図である。
【図５】本発明の基板の他の実施例を示す斜視図である。
【図６】本発明の仮止め手段の実施例を示す斜視図である。
【図７】本発明の仮止め手段の他の実施例を示す平面図である。
【図８】本発明の仮止め手段に貼付け剤をセットした透視平面図である。
【図９】本発明の仮止め手段に貼付け剤をセットした他の例を示す透視平面図である。
【図１０】本発明のハンドリング部の他の実施例を示す斜視図である。
【図１１】本発明のハンドリング部と手の位置関係を示す斜視図である。
【図１２】本発明の保持部の実施例を示す斜視図である。
【図１３】本発明の保持部の他の実施例を示す斜視図である。
【図１４】本発明の取っ手の実施例を示す斜視図である。
【図１５】一般的に使用される貼付け剤の構成を示す一部断面図である。
【図１６】本発明を用いて肩の患部に貼付け操作を行っている図である。
【図１７】本発明の保護材が貼付け剤から剥がされる様子を示す先端部の拡大図である。
【図１８】皮膚に貼付けた貼付け剤から本発明を取外す操作を行っている図である。
【図１９】本発明を貼付け剤から取り外す様子を示す先端部の拡大図である。
【符号の説明】
１：　　基板
２：　　仮止め手段
３：　　ハンドリング部
４：　　保護材
４’：　引張り部
５：　　調節手段
６：　　保持部
７：　　取っ手
８：　　貼付け剤
９：　　基材
１０：　　薬剤面
１０’：　薬剤面を露出させた部分
１１：　　剥離フィルム
１２：　　皮膚
【図１】
2004089657.tif 000003
【図２】
2004089657.tif 000004
【図３】
2004089657.tif 000005
【図４】
2004089657.tif 000006
【図５】
2004089657.tif 000007
【図６】
2004089657.tif 000008
【図７】
2004089657.tif 000009
【図８】
2004089657.tif 000010
【図９】
2004089657.tif 000011
【図１０】
2004089657.tif 000012
【図１１】
2004089657.tif 000013
【図１２】
2004089657.tif 000014
【図１３】
2004089657.tif 000015
【図１４】
2004089657.tif 000016
【図１５】
2004089657.tif 000017
【図１６】
2004089657.tif 000018
【図１７】
2004089657.tif 000019
【図１８】
2004089657.tif 000020
【図１９】
2004089657.tif 000021